(57)【要約】【課題】長期間にわたって高いフィルタ効率を維持し、作業効率を向上することが可能である塗装ミストの飛散防止用フード構造を提供する。【解決手段】前面に開放面を備えた筐体状のフード本体２と、フード本体２に形成された換気穴４と、フード本体内部に配設されたメインフィルタ１０とを備え、メインフィルタ１０とフード本体２とにより換気穴４に連通した閉空間１５が形成されるようにし、フード本体内の塗装ミストを換気穴４から排気ファン５により吸引し、該塗装ミストをメインフィルタ１０に吸着捕集するフード構造１において、前記フード構造１は、メインフィルタ１０のミスト捕集面側にプレフィルタ１１を配置した二重フィルタ構造を有し、プレフィルタ１１はフード本体内部に露出するミスト捕集面積より長尺に形成されるとともに、該プレフィルタ１１はそのミスト捕集面をスライド移動させる移動機構を備える。【選択図】図１
2010149067.tif 000002
【特許請求の範囲】
【請求項１】
塗装面に対して平行に配置される開放面を前面に備えた筐体状のフード本体と、前記フード本体の左右側面、上面、底面、後面の何れかの面に形成された換気穴と、前記フード本体の内部に配設されたメインフィルタと、を備え、前記メインフィルタと前記フード本体とにより前記換気穴に連通した閉空間が形成されるようにし、フード本体内の塗装ミストを前記換気穴から排気ファンにより吸引し、該塗装ミストを前記メインフィルタに吸着させて捕集する塗装ミストの飛散防止用フード構造において、
前記フード構造は、前記メインフィルタのミスト捕集面側にプレフィルタを配置した二重フィルタ構造を有し、
前記プレフィルタはフード本体内部に露出するミスト捕集面積より長尺に形成されるとともに、該プレフィルタはそのミスト捕集面をスライド移動させる移動機構を備えていることを特徴とする塗装ミストの飛散防止用フード構造。
【請求項２】
前記プレフィルタは、前記フード本体の後面と平行に配置された第１の捕集部位と、前記フード本体の左右側面、上面、底面の何れかに平行に配置された第２の捕集部位とが連続した構成を有し、前記閉空間の断面が平行四辺形となるように形成したことを特徴とする請求項１記載の塗装ミストの飛散防止用フード構造。
【請求項３】
前記プレフィルタは、前記フード本体の後面から前記フード本体の左右側面、上面、底面の何れかに掛け渡された平面状に配置され、前記閉空間の断面が三角形状となるように形成したことを特徴とする請求項１記載の塗装ミストの飛散防止用フード構造。
【請求項４】
前記移動機構は、前記プレフィルタの一側の端辺を支持する支軸と、他側の端辺を巻き取る巻き取り軸と、前記巻き取り軸を駆動する駆動手段と、を備えたことを特徴とする請求項１乃至３の何れかに記載の塗装ミストの飛散防止用フード構造。
【発明の詳細な説明】
【技術分野】
【０００１】
本発明は、大型構造物の塗装時に、噴射した塗料ミストが周囲に飛散することを防止する塗装ミストの飛散防止用フード構造に関する。
【背景技術】
【０００２】
従来、船舶や建造物等の大型構造物の壁面塗装においては、スプレーガン式塗装方法が多く用いられている。スプレーガン式塗装方法は特許文献１（特開昭６０−２０２７６２号公報）等に開示されている。これは、図８に示すようにスプレーガン５１により構造物の塗装面５０に塗料を噴射して塗装するものであるが、スプレーガン５１から塗料を噴射するにあたって塗装ミストが発生する。塗装ミストは、周囲に飛散して作業員が吸い込んでしまったり、周辺の機器に付着してしまうことがあり、特に屋外で塗装を行う場合には風によって広範囲に拡散してしまう惧れがある。
【０００３】
従って、塗装面５０をフード５２で覆い、塗装ミストの飛散を軽減するようにしていた。この場合、塗装面５０にフード５２を接近させ、フード５２内にてスプレーガン５１により塗料を噴射して塗装を行う。塗装面５０が高い位置にある場合には、クレーン５６により移動可能な作業台５５に作業員５３が乗り、スプレーガン５１を操作して塗装を行っている。フード５２は重量が大きいため、作業台５５に固定してこれと一緒に移動するようになっている。また、特許文献２（特許第２８７７２７０号公報）には、フード５２に対して相対移動可能にスプレーガン５１を取り付けた自動塗装装置も開示されている。
【０００４】
このように、塗装ミストの飛散を防止するためにフードが設けられていた。図９は、従来のフード構造の具体的構成例を示す平断面図である。フード構造５２は、塗装面側が開放した筐体状のフード本体６１を備え、該フード本体６１は後面に塗装穴６２が設けられている。該塗装穴６２からはスプレーガンが挿入される。また、フード本体６１の後面両側部には換気穴６３が設けられ、該換気穴６３上あるいは該換気穴６３に接続されたダクト上に排気ファン６４が配設されている。フード本体６１内部にはフィルタ６５が配設されており、排気ファン６４を駆動してフード本体６１内の塗装ミストを吸引し外部へ排出するが、このときフィルタ６５を通過することにより塗装ミストが捕集される。特許文献３（特開２００５−１４４２１８号公報）にも、ミスト飛散防止用の箱型ケースの側面に換気扇を設け、該換気扇によりフィルタを介してミストを吸引し、ミストを除去する構成が開示されている。
【０００５】
【特許文献１】特開昭６０−２０２７６２号公報
【特許文献２】特許第２８７７２７０号公報
【特許文献３】特開２００５−１４４２１８号公報
【発明の開示】
【発明が解決しようとする課題】
【０００６】
しかしながら、上記したように塗装ミストをフィルタに捕集させて除去する構成では、長時間塗装を行うことによって塗装ミストによりフィルタが閉塞し、換気能力が下がってしまい、フードの他の隙間から塗装ミストが外に漏れだす惧れがある。これにより、使用時間が長引くにつれてフードのミスト密閉性能が低下し問題となる。
この対策として、フィルタが閉塞する前にフィルタを交換することも考えられるが、一般にフードは大型で重量が大きいため、フィルタが詰まる度にフードを下ろしてフィルタ交換を行うと作業効率が大幅に低下してしまう。
従って、本発明は上記従来技術の問題点に鑑み、塗装ミストによるフィルタの閉塞を抑制し、長期間にわたって高いフィルタ効率を維持し、作業効率を向上することが可能である塗装ミストの飛散防止用フード構造を提供することを目的とする。
【課題を解決するための手段】
【０００７】
そこで、本発明はかかる課題を解決するために、塗装面に対して平行に配置される開放面を前面に備えた筐体状のフード本体と、前記フード本体の左右側面、上面、底面、後面の何れかの面に形成された換気穴と、前記フード本体の内部に配設されたメインフィルタと、を備え、前記メインフィルタと前記フード本体とにより前記換気穴に連通した閉空間が形成されるようにし、フード本体内の塗装ミストを前記換気穴から排気ファンにより吸引し、該塗装ミストを前記メインフィルタに吸着させて捕集する塗装ミストの飛散防止用フード構造において、
前記フード構造は、前記メインフィルタのミスト捕集面側にプレフィルタを配置した二重フィルタ構造を有し、
前記プレフィルタはフード本体内部に露出するミスト捕集面積より長尺に形成されるとともに、該プレフィルタはそのミスト捕集面をスライド移動させる移動機構を備えていることを特徴とする。
【０００８】
本発明によれば、メインフィルタのミスト捕集面側にプレフィルタを配置した二重フィルタ構造とし、プレフィルタのミスト捕集効率が低下したら移動機構によりミスト捕集面をスライド移動させ、新たなミスト捕集面を露出させることにより、メインフィルタを交換することなく長期間にわたって高いフィルタ効率を維持することが可能となる。従って、フードを外してフィルタを洗浄する作業を低減することができ、作業効率を向上させることが可能となる。
【０００９】
また、前記プレフィルタは、前記フード本体の後面と平行に配置された第１の捕集部位と、前記フード本体の左右側面、上面、底面の何れかに平行に配置された第２の捕集部位とが連続した構成を有し、前記閉空間の断面が平行四辺形となるように形成したことを特徴とする。
このように、閉空間の断面が平行四辺形となるようにプレフィルタを配置することにより、排気ファンにより吸引する際に圧損を小さくすることが可能である。
【００１０】
さらに、前記プレフィルタは、前記フード本体の後面から前記フード本体の左右側面、上面、底面の何れかに掛け渡された平面状に配置され、前記閉空間の断面が三角形状となるように形成したことを特徴とする。
このように、閉空間の断面を三角形状に形成し、プレフィルタを平面状に配置することにより、移動機構の構成を簡素化できる。
【００１１】
さらにまた、前記移動機構は、前記プレフィルタの一側の端辺を支持する支軸と、他側の端辺を巻き取る巻き取り軸と、前記巻き取り軸を駆動する駆動手段と、を備えたことを特徴とする。
これは、支軸に巻き付けておいたプレフィルタを巻き取り軸側に巻き取ることによりプレフィルタを移動させるようにしたため、長尺のプレフィルタをコンパクトに収納しながら簡単にスライド移動させることが可能となる。
尚、前記駆動手段は、自動で駆動させる駆動モータであってもよいし、手動で駆動させるためのハンドルであってもよい。
【発明の効果】
【００１２】
以上記載のごとく本発明によれば、塗装ミストによるフィルタの閉塞を抑制し、長期間にわたって高いフィルタ効率を維持し、作業効率を向上することが可能である。
即ち、メインフィルタのミスト捕集面側にプレフィルタを配置した二重フィルタ構造とし、プレフィルタのミスト捕集効率が低下したら移動機構によりミスト捕集面をスライド移動させ、新たなミスト捕集面を露出させることにより、メインフィルタを交換することなく長期間にわたって高いフィルタ効率を維持することが可能となる。従って、フードを外してフィルタを洗浄する作業を低減することができ、作業効率を向上させることが可能となる。
【００１３】
また、閉空間の断面が平行四辺形となるようにプレフィルタを配置することにより、排気ファンにより吸引する際に圧損を小さくすることが可能である。
さらに、閉空間の断面を三角形状に形成し、プレフィルタを平面状に配置することにより、移動機構の構成を簡素化できる。
さらにまた、支軸に巻き付けておいたプレフィルタを巻き取り軸側に巻き取り、プレフィルタを移動させる構成とすることにより、長尺のプレフィルタをコンパクトに収納しながら簡単にスライド移動させることが可能となる。
【発明を実施するための最良の形態】
【００１４】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
本実施形態に係る塗装ミストの飛散防止用フード構造は、船舶や建造物等の大型構造物の壁面塗装に際して、塗装面に塗料を噴射することにより発生する塗装ミスト（以下、ミストと称する）が周囲に飛散することを防止するものである。
【００１５】
まず、図５を参照して、本実施形態が適用される大型構造物の壁面塗装の概略を説明する。同図に示すように、フード構造１は、塗料を噴射するスプレーガン３０を囲繞するごとく設けられている。そして、塗装対象である構造物の塗装面２０に対してフード構造１を接近させ、フード構造１内にてスプレーガン３０から塗料を噴射して塗装面２０を塗装する。塗装時、フード構造１は、塗装面２０に対して該フード構造１の前面が平行となるように所定間隙を存して配置される。スプレーガン３０にて塗装面２０に塗料を噴射することにより発生するミストはフード構造１内に滞留し、これにより外部に飛散することを防止する。以下の第１実施形態及び第２実施形態において、フード構造１の具体的構成につき説明する。
【００１６】
（第１実施形態）
本発明の第１実施形態に係るフード構造を図１及び図２に示す。図１は本発明の第１実施形態に係るフード構造の構成を示す平断面図（図５のＸ−Ｘ断面図）、図２は本発明の第１実施形態に係るフード構造の構成を示す図で、（ａ）は正面図、（ｂ）は背面図である。
第１実施形態に係るフード構造１は、前面が開放された筐体状のフード本体２と、該フード本体２の後面に形成された塗装穴３と、前記フード本体２の後面両側部に形成された換気穴４と、前記換気穴４上又は該換気穴に接続されるダクト上に配設された排気ファン５と、前記換気穴４の前面に閉空間１５を存して配設されたメインフィルタ１０と、該メインフィルタ１０の開放側の面に配設されたプレフィルタ１１と、該プレフィルタ１１の移動機構と、を備える。
【００１７】
前記フード本体２は、塗装時に発生するミストが周囲に飛散することを防止するもので、塗装面側に位置する前面が開放された筐体状を有する。その詳細な形状は特に限定されない。好適には、広範囲の塗装面に対応でき且つ重量を軽量化するために、前面が拡径したテーパ状筐体とするとよい。該フード本体２は、軽量で耐久性を有する材料で形成される。例えば、鉄やアルミニウムなどの金属材料、樹脂材料等が用いられる。
前記塗装穴３はフード本体２の後面に形成され、スプレーガン３０を挿入するための穴である。
【００１８】
前記換気穴４は、フード本体２の後面、左右側面、上面、底面の少なくとも何れかに設けられる。その数は限定されない。該換気穴４にはダクト（図示略）が接続されている。
尚、図１及び図２には一例として、フード本体２の後面両側部に換気穴４を２つずつ形成した構成を示しており、以下に説明するフィルタ１０、１１及び閉空間１５についてもこの換気穴４の配置に沿った構成としている。
【００１９】
前記メインフィルタ１０は、フード本体２内に配設される。該メインフィルタ１０は、ミストを吸着して捕集する機能を有し、その材質は、例えばポリエステル、ガラス繊維、パーム繊維（ヤシガラ）、塩ビ等の不織布フィルタ、或いはクラフト等の紙フィルタなどが用いられる。
前記プレフィルタ１１は、メインフィルタ１０のミスト捕集面側に配置される。そして、該プレフィルタ１１と前記メインフィルタ１０により二重フィルタ構造となっている。該プレフィルタ１１は、メインフィルタ１０と同様にその材質は、例えばポリエステル、ガラス繊維、パーム繊維（ヤシガラ）、塩ビ等の不織布フィルタ、或いはクラフト等の紙フィルタなどが用いられる。このとき、プレフィルタ１１はメインフィルタ１０よりも肉厚を薄くし、好適にはプレフィルタ１１の肉厚を１〜５ｍｍ、さらに好適には２ｍｍ程度とする。
【００２０】
また、プレフィルタ１１及びメインフィルタ１０と、フード本体２とで閉空間１５が形成され、この閉空間１５は換気穴４に連通している。この閉空間１５はプレフィルタ１１及びメインフィルタ１０によりフード本体２のミスト捕集側内部と隔絶されている。
好適には図１に示すように、プレフィルタ１１は、フード本体２の後面と平行に配置された第１の捕集部位１１ｂと、フード本体の左右側面に平行に配置された第２の捕集部位１１ａとが連続した構成を有し、閉空間１５の水平断面が平行四辺形となるように形成する。プレフィルタ１１と同様にメインフィルタ１０も配置される。
【００２１】
メインフィルタ１０とプレフィルタ１１は、換気穴４が設置される部位のみでなく、換気穴４が設置されない部位にも配設することが好ましい。例えば、図２に示すようにフード本体２の後面両側部に換気穴４が設置されている場合、メインフィルタ１０とプレフィルタ１１は側面に配設されるが、この他に、フード本体２の上面と底面にも配設する。これにより、ミストの吸着面積が増大してミスト捕集効率が向上する。
さらにまた、前記プレフィルタ１１は、フード本体２の内部に露出するミスト捕集面積より長尺に形成されており、該プレフィルタ１１はそのミスト捕集面をスライド移動させる移動機構を備えている。
【００２２】
図３は移動機構を備えたプレフィルタ１１の構成を示す斜視図である。
図１及び図３に示すようにプレフィルタ１１の移動機構は、該プレフィルタ１１の一側の端辺を支持する支軸１２と、他側の端辺を巻き取る巻き取り軸１３と、巻き取り軸１３を駆動する駆動手段（図示略）とから構成される。支軸１２は巻き取り軸１３と連動して駆動されるようにしてもよい。プレフィルタ１１の屈折部には、ガイドローラ１４ａ、１４ｂ、１４ｃを配置し、プレフィルタ１１が円滑にスライド移動するようにする。ガイドローラ１４ａ、１４ｂ、１４ｃの代わりに、摩擦係数が小さい滑らかな棒を設置してもよい。また、駆動手段は、自動で駆動させる駆動モータであってもよいし、手動で駆動させるためのハンドルであってもよい。
【００２３】
プレフィルタ１１をスライド移動させる時は、巻き取り軸１３を駆動手段により回転させ、該巻き取り軸１３に使用済みのプレフィルタ１１を巻き取っていく。
これにより、支軸１２に巻回されている未使用のプレフィルタ１１が、図３の矢印Ａ方向にスライド移動してフード本体２内に露出し、ミスト捕集部位に配置される。
尚、前記移動機構は、上記した構成に限定されるものではなく、他にも例えば円環状に形成されたプレフィルタ１１の一部をミスト捕集部位に配置し、他の部位をフード本体２の外側に配置しておき、この円環状のプレフィルタ１１を周回させて未使用のプレフィルタ１１をフード本体２内のミスト捕集部位までスライド移動させるようにしてもよい。
【００２４】
このような構成を備えるフード構造１においては、図５に示されるようにフード本体２を構造物２０の塗装面に対して間隙を存して配置し、塗装穴３より挿入したスプレーガン３０により塗装を行う。該スプレーガン３０は、作業員が手動で操作して塗装を行うものであってもよいし、自動で塗装を行うものであってもよい。自動塗装の場合は、例えばフード本体２に対して相対移動可能にスプレーガン５１を取り付け、遠隔操作によりスプレーガン５１の位置や塗料の噴射を制御し、塗装を行う。
【００２５】
塗料の噴射により発生したミストはフード本体２内に滞留する。排気ファン５を駆動させることにより換気穴４に連通した閉空間１５の圧力が低下し、フード本体２内部に滞留したミストを含む空気が圧力差により閉空間１５へ吸引される。このとき、ミストを含む空気がプレフィルタ１１とメインフィルタ１０を順に通過し、プレフィルタ１１にて大部分のミストが吸着して捕集され、残存するミストがメインフィルタ１０に吸着して捕集される。
所定時間塗装を行った後、プレフィルタ１１が閉塞する前に、巻き取り軸１３を回転駆動させてプレフィルタ１１をスライド移動させ、未使用のプレフィルタ１１の面をフード本体２内に露出させ、塗装作業を続行する。
【００２６】
図６及び図７に、本実施形態のフード構造を用いた場合と、従来例のフード構造を用いた場合において、塗装を継続的に行った時のミスト捕集効率を測定する実験を行った結果を示す。図６は本実施形態と従来例のフード構造における塗装ミストの時系列捕集効率を比較した折れ線グラフ、図７は作業１日目と１０日目の捕集効率を比較した棒グラフである。従来例は図９に示すようにフード本体６１にメインフィルタ６５のみを設置したフード構造５２、本実施形態は図１に示すようにプレフィルタ１０とメインフィルタ１１の二重フィルタ構造を採用したフード構造１を用いた。何れの場合も、実験期間中はメインフィルタの交換は行わないものとする。
【００２７】
図６に示すように、従来例においては使用期間が経過するに従って比例的にミストの捕集効率が低下していく。これに対して、本実施形態においては一定期間（図６では４日）経過したらプレフィルタ１１をスライド移動させ、未使用の面を露出させるようにしており、これによりメインフィルタ１０を交換することなく捕集効率を復活させることができる。図７に示すように、作業１日後では従来例と本実施形態とで捕集効率に殆ど差は見られなかったものの、作業１０日目では、従来例の場合は未使用の状態に比べてメインフィルタの捕集効率が３０％程度まで低下しているのに対して、本実施形態では８０％程度の捕集効率を維持できている。
【００２８】
このように本第１実施形態によれば、メインフィルタ１０のミスト捕集面側にプレフィルタ１１を配置した二重フィルタ構造とし、プレフィルタ１１のミスト捕集効率が低下したら移動機構によりミスト捕集面をスライド移動させ、新たなミスト捕集面を露出させることにより、メインフィルタ１０を交換することなく長期間にわたって高いフィルタ効率を維持することが可能となる。従って、フードを外してフィルタを洗浄する作業を低減することができ、作業効率を向上させることが可能となる。
【００２９】
また、閉空間１５の断面が平行四辺形となるようにプレフィルタ１１を配置することにより、排気ファン５により吸引する際に圧損を小さくすることが可能である。
さらにまた、支軸１２に巻き付けておいたプレフィルタ１１を巻き取り軸１３側に巻き取り、プレフィルタ１１を移動させる構成とすることにより、長尺のプレフィルタ１１をコンパクトに収納しながら簡単にスライド移動させることが可能となる。
【００３０】
（第２実施形態）
図４を参照して本発明の第２実施形態につき説明する。図４は本発明の第２実施形態に係るフード構造を示す平断面図（図５のＸ−Ｘ断面図）である。尚、本第２実施形態において、上記した第１実施形態と同様の構成についてはその詳細な説明を省略する。
第２実施形態に係るフード構造１は、前面が開放された筐体状のフード本体２と、該フード本体２の後面に形成された塗装穴３と、前記フード本体２の後面両側部に形成された換気穴４と、前記換気穴４上又は該換気穴４に接続されるダクト上に配設された排気ファン５と、前記換気穴４の前面に閉空間１５を存して配設されたメインフィルタ１０と、該メインフィルタ１の開放側の面に配設されたプレフィルタ１１と、該プレフィルタ１１の移動機構と、を備える。移動機構については、第１実施形態と同様であるため説明を省略する。
【００３１】
プレフィルタ１１は、フード本体２の後面と、フード本体２の左右側面、上面、底面の何れかに掛け渡された平面状に配置され、閉空間１５の断面が三角形状となるように形成されている。メインフィルタ１０はプレフィルタ１１と同様に配置される。この閉空間１５はプレフィルタ１１及びメインフィルタ１０によりフード本体２のミスト捕集側内部と隔絶される。
【００３２】
本第２実施形態によれば、第１実施形態と同様に塗装ミストによるフィルタの閉塞を抑制し、長期間にわたって高いフィルタ効率を維持し、作業効率を向上することが可能であるとともに、閉空間１５の断面を三角形状に形成し、プレフィルタ１１を平面状に配置する構成としたため、移動機構の構成を簡素化できる。
【産業上の利用可能性】
【００３３】
本発明は、塗装ミストによるフィルタの閉塞を抑制し、長期間にわたって高いフィルタ効率を維持でき、作業効率を向上させることが可能な塗装ミストの飛散防止用フード構造としたため、船舶や建造物等の大型構造物の塗装に好適に用いられる。
【図面の簡単な説明】
【００３４】
【図１】本発明の第１実施形態に係るフード構造の構成を示す平断面図（図５のＸ−Ｘ断面図）である。
【図２】本発明の第１実施形態に係るフード構造の構成を示す図で、（ａ）は正面図、（ｂ）は背面図である。
【図３】移動機構を備えたプレフィルタの構成を示す斜視図である。
【図４】本発明の第２実施形態に係るフード構造を示す平断面図（図５のＸ−Ｘ断面図）である。
【図５】本発明の実施形態に係るフード構造の使用状態を示す側面図である。
【図６】本実施形態と従来例のフード構造における塗装ミストの捕集効率を比較した折れ線グラフである。
【図７】図６において塗装１日目と１０日目の捕集効率を比較した棒グラフである。
【図８】従来の壁面塗装方法を説明する図である。
【図９】従来のフード構造の構成を示す平断面図である。
【符号の説明】
【００３５】
１    フード構造
２    フード本体
３    塗装穴
４    換気穴
５    排気ファン
１０  メインフィルタ
１１  プレフィルタ
１２  支軸
１３  巻き取り軸
１４ａ、１４ｂ、１４ｃ  ガイドローラ
１５  閉空間
２０  塗装面
３０  スプレーガン
【図１】
2010149067.tif 000003
【図２】
2010149067.tif 000004
【図３】
2010149067.tif 000005
【図４】
2010149067.tif 000006
【図５】
2010149067.tif 000007
【図６】
2010149067.tif 000008
【図７】
2010149067.tif 000009
【図８】
2010149067.tif 000010
【図９】
2010149067.tif 000011